(57)【要約】【課題】無線通信機器の最適化方法及びその装置を提供する。【解決手段】  本発明の無線通信機器の最適化方法その装置は、無線通信機器の負極端から導電性的に拡張されて導電部を形成し、非動作帯域ノイズを該導電部に誘導することにより、該非動作帯域ノイズをフィルタリングし、該無線通信機器の全体的動作性能、信号対ノイズ比、電力等を最適化する。【選択図】図１
2013143781.tif 000002
【特許請求の範囲】
【請求項１】
無線通信機器の最適化方法であり、該無線通信機器の負極端から導電性的に拡張されて導電部を形成し、非動作帯域ノイズを該導電部に誘導することにより、前記非動作帯域ノイズをフィルタリングし、信号対ノイズ比の最適化の効果を達成し、前記非動作帯域ノイズの周波数が該無線通信機器の動作帯域より低いものである無線通信機器の最適化方法。
【請求項２】
前記導電部は、該無線通信機器の内部又は/及び外部に配置される請求項１に記載の無線通信機器の最適化方法。
【請求項３】
前記導電部は、前記非動作ノイズが該無線通信機器の動作電圧上にサージを発生することを回避することに用い、これにより該無線通信機器の全体的動作性能を向上する請求項１に記載の無線通信機器の最適化方法。
【請求項４】
導電部を含み、該導電部は、無線通信機器の負極端と接合することに用い、非動作ノイズを該導電部に誘導し、前記非動作ノイズをフィルタリングし、信号最適化の効果を達成し、前記非動作帯域ノイズの周波数は、該無線通信機器の動作帯域より低いものである無線通信機器の信号対ノイズ比最適化装置。
【請求項５】
前記導電部は、該無線通信機器の内部又は/及び外部に配置される請求項４に記載の無線通信機器の信号対ノイズ比最適化装置。
【請求項６】
前記導電部は、前記非動作ノイズが該無線通信機器の動作電圧上にサージを発生することを回避することに用い、これにより該無線通信機器の全体的動作性能を向上する請求項４に記載の無線通信機器の信号対ノイズ比最適化装置。
【請求項７】
前記無線通信機器は、電源入力ポートを有し、且つ該無線通信機器の信号対ノイズ比最適化装置は、コネクタモジュールを形成し、該無線通信機器を前記電源入力ポートに挿入接続させる請求項４に記載の無線通信機器の信号対ノイズ比最適化装置。
【発明の詳細な説明】
【技術分野】
【０００１】
本発明は、非動作帯域ノイズをフィルタリングし、無線通信機器の全体の動作性能、信号対ノイズ比、及び電力等を何れも最適化することができる無線通信機器の最適化方法及びその装置に関する。
【背景技術】
【０００２】
モトローラ（Motorola Inc.）の通信システム部門総経理職を担うマーティン・クーパー氏（Martin Cooper）が１９７３年に最初の携帯電話原型機を発明していない、全世界の人類は、グローバルモバイル通信システム（Global System for Mobile Communications，即ちGSM）の便利な通信時代に入っている。１９７３年より第１世代モバイル通信標準（the first generation，即ち、1G）、第２世代モバイル通信標準（即ち、2G）、第３世代モバイル通信標準（即ち、3G）及び第４世代モバイル通信標準（即ち、4G）の研究開発及び進化を経ている。プライベートエリア無線ネットワーク（Wireless PAN）、ブルートゥース（Bluetooth）、無線フィデリティ（Wireless Fidelity，即ち、Wi-Fi）、無線ローカルエリアネットワークWireless Local Area Network，即ち、WLAN）の使用が加わっている。人々が位置する天空には、多くの異なる周波数帯域の電磁波信号が充満している。そのうち、携帯電話は、900Mhz帯域で動作するGSM900、1800Mhz帯域で動作するGSM1800、2100Mhz帯域で動作する3GWCDMA、800Mhz帯域で動作するCDMA2000に分けられる。プライベートエリア無線ネットワークは、2.4Ghz帯域で動作するブルートゥースネットワーク、2.4Ghz〜5Ghz帯域に動作する無線フィデリティ（Wi-Fi）に分けられる。
【先行技術文献】
【特許文献】
【０００３】
【特許文献１】特開２０１１−２３１９７９号公報
【発明の概要】
【発明が解決しようとする課題】
【０００４】
但し、天空中には、多種の比較的低周波数のノイズ（又はサージ）が充満しており、上記比較的高い周波数の通信品質を干渉する。
【０００５】
本願の発明者は、これに鑑み、研究改良を行い、本発明が示す無線通信機器の最適化方法及びその装置を開示する。
【課題を解決するための手段】
【０００６】
本発明の目的は、無線通信機器の最適化方法を提供することにあり、該方法は、無線通信機器の負極端から導電性的に拡張されて導電部を形成し、非動作帯域ノイズを該導電部に誘導することにより、該非動作帯域ノイズをフィルタリングし、信号対ノイズ比の最適化の効果を達成する。
【０００７】
前記無線通信機器の最適化方法に基づき、該導電部は、該無線通信機器の内部又は/及び外部に配置される。
【０００８】
前記無線通信機器の最適化方法に基づき、該導電部は、前記非動作ノイズが該無線通信機器の動作電圧上にサージを発生することを回避することができ、これにより該無線通信機器の全体的動作性能を向上し、節電の効果を達成する。
【０００９】
本発明のもう１つの目的は、無線通信機器の信号対ノイズ比最適化装置を提供することにあり、該装置は、導電部を含み、無線通信機器の負極端と接合することに用い、非動作ノイズを該導電部に誘導し、該非動作ノイズをフィルタリングし、信号対ノイズ比最適化の効果を達成する。
【００１０】
前記無線通信機器の信号対ノイズ比最適化装置に基づき、該導電部は、該無線通信機器の内部又は/及び外部に配置される。
【００１１】
前記無線通信機器の信号対ノイズ比最適化装置に基づき、該導電部は、前記非動作ノイズが該無線通信機器の動作電圧上にサージを発生することを回避することができ、これにより該無線通信機器の全体的動作性能を向上し、節電の効果を達成する。
【００１２】
前記無線通信機器の信号対ノイズ比最適化装置に基づき、該無線通信機器は、電源入力ポートを有し、且つ該無線通信機器の信号対ノイズ比最適化装置は、該無線通信機器の前記電源入力ポートに挿入接続することに用いるコネクタモジュールである。
【発明の効果】
【００１３】
本発明の無線通信機器の最適化方法その装置は、無線通信機器の負極端から導電性的に拡張されて導電部を形成し、非動作帯域ノイズを該導電部に誘導することにより、該非動作帯域ノイズをフィルタリングし、該無線通信機器の全体的動作性能、信号対ノイズ比、電力等を最適化する。
【図面の簡単な説明】
【００１４】
【図１】本発明の説明図である。
【図２】本発明の実施例の俯瞰立体分解図である。
【図３】本発明の実施例の仰視立体分解図である。
【図４】本発明の実施例の俯瞰立体組み合わせ図である。
【発明を実施するための形態】
【００１５】
本発明が開示する無線通信機器の最適化方法及びその装置について、以下の説明及び図面により明確にすることができる。
【００１６】
図１〜図４に示すように、本発明が提供する無線通信機器の最適化方法は、無線通信機器１０の負極端１２から導電性的に拡張されて導電部２１を形成し、該周波数を該無線通信機器１０の動作帯域より低い非動作帯域ノイズ（又はサージ）を該導電部２１に誘導することにより、該非動作帯域ノイズ（又はサージ）をフィルタリングし、信号対ノイズ比の最適化の効果を達成する。
【００１７】
前記導電部２１は、無線通信機器１０の内部又は/及び外部に配置される。
【００１８】
導電部２１は、前記非動作帯域ノイズが該無線通信機器１０の動作電圧上にサージを発生し、無線通信機器１０の全体的動作性能を向上し、節電の効果を達成する。
【００１９】
前記非動作帯域ノイズ（又はサージ）を前記動作帯域に含まれる信号に比較した場合、前記非動作帯域ノイズ（又はサージ）は、相対的に低い周波数チャネルにおいて比較的良好な伝送を有するが、前記動作帯域に含まれる信号は、相対的に高い周波数チャネルにおいて比較的良好な伝送を有する。
【００２０】
従って、前記非動作帯域ノイズ（又はサージ）が使用環境中に出現する時、本発明は、該無線通信機器１０の負極端１２から導電性的に拡張されて導電部２１を形成し、前記相対的に低い周波数チャネルを提供し、前記非動作帯域ノイズ（又はサージ）を受信し、前記動作帯域の信号対ノイズ比を最適化し、無線通信機器１０の全体的動作性能を向上し、同時に節電の効果を達成する。
【００２１】
図１〜図４を参照する。本発明が提供する無線通信機器の信号対ノイズ比最適化装置２０は、導電部２１を含み、該導電部２１は、無線通信機器の負極端から導電性的に拡張し、周波数が該無線通信機器１０の動作周波数より低い非動作ノイズを該導電部２１に誘導し、該非動作ノイズをフィルタリングし、信号対ノイズ比最適化の効果を達成する。
【００２２】
前記導電部２１は、無線通信機器１０の内部又は/及び外部に配置される。
【００２３】
導電部２１は、前記非動作帯域ノイズが該無線通信機器１０の動作電圧上にサージを発生し、無線通信機器１０の全体的動作性能を向上し、節電の効果を達成する。
【００２４】
前記無線通信機器１０は、電源入力ポート１３を有し、且つ前記無線通信機器の信号対ノイズ比最適化装置２０は、コネクタモジュールの型式であり（図２〜図４参照）、該無線通信機器１０の電源入力ポート１３に挿入接続させる。
【００２５】
一般の無線通信機器１０は、ただ「相対的に高い周波数チャネル（即ち、信号チャネル）」の設置のみを有し、「相対的に低い周波数チャネル（即ち、ノイズチャネル又はサージチャネル）」の設置がないので、一旦「相対的に低い周波数の信号（即ち、ノイズ又はサージ）」が出現すると、この「相対的に低い周波数の信号（即ち、ノイズ又はサージ）」が無線通信機器のアンテナ（例えば、逆Ｆ型アンテナ（Patched Inverse F Antenna，PIFA））の節点を経由し、それのみを有する「相対的に高い周波数チャネル」に混入し、「相対的に高い周波数の信号（即ち、正信号）」に対し、干渉を発生し、通信品質を下降させる。
【００２６】
但し、本発明は、「相対して低い周波数チャネル（即ち、ノイズチャネル又はサージチャネル）」の設置を提供しているので、一旦「相対して低い周波数の信号（ノイズ又はサージ）」が出現すると、この「相対して低い周波数の信号（ノイズ又はサージ）」が本発明の増設する「相対して低い周波数チャネル（即ち、ノイズチャネル又はサージチャネル）」により受信され、「相対的に高い周波数チャネル」に混入することがないので、「相対的に高い周波数の信号（即ち、正信号）」に対し、干渉を発生せず、通信品質を効率的に向上することができ、信号対ノイズ比最適化の目的を達成する。
【００２７】
一般の無線通信機器１０は、ただ「相対的に高い周波数チャネル（即ち、信号チャネル）」の設置のみを有し、「相対的に低い周波数チャネル（即ち、ノイズチャネル又はサージチャネル）」の設置がないので、一旦「相対的に低い周波数の信号（即ち、ノイズ又はサージ）」が出現すると、この「相対的に低い周波数の信号（即ち、ノイズ又はサージ）」が無線通信機器１０のアンテナ１４、例えば、携帯電話が使用する逆Ｆ型アンテナ（Patched Inverse F Antenna，PIFA））の節点（図示せず）を接地点とし、無線通信機器１０中の動作回路を介し、無線通信機器１０の正極端１１に短絡する。「相対的に低い周波数の信号（即ち、ノイズ又はサージ）」及び電源１５が発生する並列の効果に相当し、無線通信機器１０の電力を消耗し、電力が「相対して低い周波数の信号（ノイズ又はサージ）」により消費されることを回避することができなくなる。
【００２８】
但し、本発明は、「相対して低い周波数チャネル（即ち、ノイズチャネル又はサージチャネル）」の設置を提供しているので、一旦「相対して低い周波数の信号（ノイズ又はサージ）」が出現すると、この「相対して低い周波数の信号（ノイズ又はサージ）」が無線通信機器のアンテナ（例えば、携帯電話が使用する逆Ｆ型アンテナ（Patched Inverse F Antenna，PIFA））の節点（図示せず）を経由し、本発明の増設する「相対して低い周波数チャネル（即ち、ノイズチャネル又はサージチャネル）」に「自動移行」し、直接本発明の導電部２１を接地点とし、導電部２１を介し、無線通信機器１０の負極端１２に短絡する。「相対的に低い周波数の信号（即ち、ノイズ又はサージ）」及び電源１５が発生する直列の効果に相当する。従って、上記元々「相対して低い周波数の信号（ノイズ又はサージ）」により消費されることを回避することができなかった電力が節減され、節電の効果を達成する。
【００２９】
上記の原因により、本発明が無線通信機器１０（即ち、一般の携帯電話通信機器）に応用される時、元々無線通信機器のアンテナ（例えば、逆Ｆ型アンテナ（Patched Inverse F Antenna，PIFA））の節点を経由し、進入していたノイズ又はサージ電流を減少させることができ、信号対ノイズ比を向上し、信号対ノイズ比、電力、動作性能等を何れも最適化する目的を達成する。
【００３０】
本発明は、携帯電話通信、無線ネットワークリンク、又はその他の無線通信機器に利用することができ、本発明は、これに制限するものではない。
【００３１】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００３２】
１０  無線通信機器
１１  正極端
１２  負極端
１３  電源入力ポート
１４  アンテナ
１５  電源
２０  無線通信機器の信号最適化装置
２１  導電部
【図１】
2013143781.tif 000003
【図２】
2013143781.tif 000004
【図３】
2013143781.tif 000005
【図４】
2013143781.tif 000006